(57)【要約】【課題】  紙等の裁断時に常に直角方向が支持され、紙を置いた状態での分割裁断が可能で、定規の位置を動かす事なく紙を差し替える事も可能で、カッターナイフ等の使用による怪我や机のキズ付けを防止する事ができ使用中及び使用しない時も場所を取らないガード付きカッターマットを提供する。【解決手段】本発明は、カッターナイフ等の刃先を受ける為のマット部２を用い、これを嵌め込む為に側面の隣接する二辺に目盛りの付いた目盛り付きカッター刃受６とスポンジ７を張り合わせたガード部５を備え、もう一方の隣接する二辺には目盛りの付いた目盛り付き枠８を備えたの本体１を形成する。  このマットの上で使用するカッターナイフやペンを沿わす為の定規９は、直角を備えており、直角を形成する短い方の一辺には定規ガイド１０を形成する。【選択図】  図１
2006341345.tif 000002
【特許請求の範囲】
【請求項１】
本体の上面には紙類の下に敷いてカッターナイフ等の刃先を受ける為のマット部を備え、その本体の側面の隣接する二辺にはガード部を設けたことを特徴とするガード付きカッターマット。
【請求項２】
ガード部は、目盛り付きカッター刃受にスポンジ等を張り合わせて伸縮性をもたせていることを特徴とする請求項１記載のガード付きカッターマット。
【請求項３】
マット部は本体に嵌め込まれており、着脱可能となっていることを特徴とする請求項１記載のガード付きカッターマット。
【請求項４】
紙の裁断や罫線を引く時に使用する為の定規は、直角を備えておりその直角を形成している一辺に、マット部とガード部の間に差し込みが可能な定規ガイドを形成していることを特徴とする請求項１記載のガード付きカッターマット。
【発明の詳細な説明】
【技術分野】
【０００１】
本発明は、紙等を切る時にカッターナイフを沿わす定規が紙の辺に対して常に直角方向を指示しており、簡単に長さを測って切ることや、定規の位置を変える事なく紙を差し替える事が出来、また紙を置いた状態で分割に裁断する事が可能で、カッターナイフ等の使用による怪我や机のキズ付けを防止する事も出来、罫線を引く時にも使用できるカッターマットに関するものである。
【背景技術】
【０００２】
市販されている裁断用のマットは、マット自身に罫線や目盛りが印刷され、目盛りに合わせて紙や定規を置いて紙を切っていた。
【０００３】
裁断機は紙をセットすると、一方向にのみ切ることが可能であった。また大きくて使用する時も、使用しない時も広い置き場所を必要としていた。
【０００４】
裁断用マットの一辺にガイド板を備えた発明の場合、ガイド板に紙と三角定規を当てて直角方向を指示しており、平行方向を指示する時は、もう一枚の三角定規を必要としていた。
【特許文献１】実開平５−１６１９７
【発明の開示】
【発明が解決しようとする課題】
【０００５】
従来の裁断用マットでは長さを測って紙を切る場合、別の定規で紙の長さを測り、標を付けてから切っていた。多くの紙を同じ大きさに切る場合でも何度も標を付ける必要があった。またマットに印刷されている目盛りに合わせて紙と定規を置いて切る事も可能であったが、この場合マットの上で紙が簡単に動いてしまっていた。そして紙を切る時にカッターナイフ等に強く力を入れすぎると誤って手を切って怪我をしたり、マットを越えて机をキズつけたりしていた。
【０００６】
裁断機では、紙を分割するように切るには、いちいち紙を切り口に挟み直さなければならなかった。そして専用の刃が必要であり、紙の一部分をくり抜くこともできなかった。また使用中も使用しない時も広い置き場所を必要とし扱い難かった。
【０００７】
裁断用マットの一辺にガイド板を備えた場合、ガイド板と平行方向に切るには三角定規が２枚必要であった。
【課題を解決するための手段】
【０００８】
本発明は、紙類の下に敷いてカッターナイフ等の刃先を受ける為のマット部を備え、これを嵌め込む為の本体を形成する。この本体を形成する側面には、隣接する二辺に目盛りの付いた目盛り付きカッター刃受とスポンジを張りあわせて伸縮性をもたせているガード部を備え、もう一方の隣接する二辺には目盛りの付いた目盛り付き枠を備えている。このマット部の上で使用するカッターナイフやペンを沿わせる為の定規は、直角を備えており、直角を形成する一辺には定規ガイドを定規の裏表両面に形成する。
【発明の効果】
【０００９】
本発明を利用する事により、マット部２の隣接する二辺にガード部５が設けられているので、紙を置いた時に紙の角はガード部５の二辺に支持されて紙は簡単に動かない。また紙を切る位置の標は、別の定規で測って標を付ける必要はない。
【００１０】
図５が示すように、多くの紙を同じ大きさに切る場合は定規９の位置を変えることなく紙を差し替えられる。しかも定規９の一辺は、定規ガイド１０がマット部２の側面に沿わされているので常に直角方向を示している。また、定規９の形状は三角形の先端部分をカットして指先で押さえスペースを広げ指先の安全を保っている。
【００１１】
図１及び図３が示すように、縦・横どちらの方向へも専用の１枚の定規９で対応する事が出来る。また、紙の一部分をくり抜くことや、紙を置いた状態で紙を分割に切る事も出来る。
【００１２】
専用の刃を使用するのではなく、手持ちのカッターナイフが使用でき、手の怪我や机のキズ付けを防止する事が出来る。
【００１３】
図２が示すように、マット部２は本体１から着脱可能となっており、裏面の下敷き面４を使用する事により、下敷き面４は下敷き素材になっているのでペンなどで表や罫線を引くのに使用できる。またカッターナイフの使用を重ねる事により、カッターマット面３が劣化した場合は、マット部２の交換が可能である。
【００１４】
図１が示すように本発明品の本体１及びマット部２及び定規９はすべて嵌め込んで一体に出来るのでかさばらず、使用しない時は本と同じようの立てておく事ができる。しかも使用する時も紙より一回り大きい程度の大きさなので場所を取らない。
【発明を実施するための最良の形態】
【００１５】
図１は本発明を使用している状態を示しており、本体１にマット部２を嵌め込みこのマット部２の側面と、本体１の側面に形成されているガード部５に備えられた目盛り付き枠８との間に定規９の定規ガイド１０を差し込んでいる。
【００１６】
図１を分解したものが図２で、それらは接着されずに嵌め込まれている。
【００１７】
図１及び図２が示すように紙類の下に敷いてカッターナイフ等の刃先を受ける為のカッターマット面３と下敷き面４を貼り合わせマット部２を形成し、これを嵌め込む為の本体１を形成する。この時、紙は通常長方形なのでこれに合わせてマット部２及び本体１も長方形とする。
【００１８】
図１及び図２が示すように長方形を形成している本体１の隣接する二辺には、カッターナイフの刃を受ける為に、マット部２より高さのある目盛り付きカッター刃受６にスポンジ７を貼り合わせて伸縮性をもたせたガード部５を形成する。スポンジ７を貼りあわせて伸縮性をもたせているのは、次の理由によるものである。
（あ）本体１にマット部２を嵌め込んだ時に、マット部２を固定する。
（い）図５が示すように、定規ガイド１０をマット部２の側面に常に沿わされるようにして定規９の一辺が常に直角を支持すると共に、紙を差し替える時には定規ガイド１０と向かい合う辺を持ち上げても定規ガイド１０はガード部５とマット部２の側面との間に差し込まれている状態が保たれているので定規９の位置は動かない。
（う）図４が示すように紙を切る場合、カッターナイフが紙の端まで切り終えるには、ガード部５の上部にカッターナイフが当たり邪魔になるが、ガード部５が縮まる事で紙の端まで切る事が出来る。
（え））図４が示すようにガード部５がカッターナイフの刃を受けてくれるので力を入れすぎてカッターナイフで手に怪我をする事や、本体１の外へはみ出て机をキズつけないようにカッターナイフを受ける。
なを、ガード部５に使用するスポンジ７はスポンジに限定する事なく、伸縮性のある弾性体であればよく、要旨を逸脱しない範囲で変更できる事は勿論である。
【００１９】
図１及び図２が示すようにガード部５は、スポンジ７だけではカッターナイフが当たると切れて劣化していくのでカッターナイフの刃を受ける為に目盛り付きカッター刃受６が取り付けられている。また、これには定規９のカッターナイフを沿わす辺が接するので紙を切る時に長さを測る為の目盛りが備えられている。もう一方の隣接する二辺には今使用しているマット部２より大きなカッターマットや紙を上に置き易いように、マット部２と同じ高さの目盛りの付いた目盛り付き枠８を形成する。この目盛り付き枠８は、隣接する二辺の角の部分を指先が入る程度に空ける事により、マット部２の表裏の向きを返る時に指先が入りマット部２を取り出し易くしている。またこれにも定規９の、カッターナイフを沿わす辺が接するので目盛りが備えられている。これらによりマット部２を嵌め込む為の枠が形成され、ここへマット部２を嵌め込む。ガード部５の二辺には伸縮性があるのでマット部２が嵌め込まれるガード部５と目盛り付き枠８で形成する枠を少し小さく形成しておく事で、マット部２は嵌め込んだ後に固定される。
【００２０】
図１及び図２が示すように紙を切る時に使うカッターナイフを沿わす為の定規９は、マット部２の側面に対して直角方向を指示する為の直角と、指先の安全を保つ為に三角形の先端部分をカットして指先で定規９を押さえるスペースを広げた形が必要である。そして直角を形成する短い方の辺の側面に定規ガイド１０を表裏両面に形成する。これは、マット部２とガード部５の間に差し込み、マット部２の側面に定規ガイド１０沿わせる事でマット部２の側面に対して定規９の一辺は直角が示される。さらにガード部５に張り合わされているスポンジ７の力により定規ガイド１０は常にマット部２の側面に沿わせられているので定規９の一辺は常に直角が支持される。しかも定規ガイド１０は表裏両面に形成されているので定規９は表裏どちらの面も使用できる。
【００２１】
紙を置く時は、ガード部５の二辺により角が形成されるのでこの角に紙の角を合わせる事により、紙の位置が定まり紙の動きが抑えられる。この時マット部２より大きい紙の場合でも、マット部２より高いガード部５は隣接する二辺だけで、もう一方の隣接する二辺の目盛り付き枠８はマット部２と同じ高さなので紙がマット部２よりはみ出る事が出来る。また、同様により大きなカッターマットをマット部２の上に重ねる事も出来る。
【００２２】
図１が示すように、本発明を使用する時は、マット部２を本体１に嵌め込む為にマット部２でガード部５を押す。するとガード部５に張り合わされたスポンジ７が縮みマット部２が嵌め込まれ、その後スポンジ７が伸びて固定される。
【００２３】
図１が示すように紙を切る時は、紙の角を二辺のガード部５で形成された角に合わせて置く。この時二辺のガード部５の角に紙が接する事により紙は簡単に動かない。またカッターナイフで一度に切れる程度の数枚の紙を重ねて置くことも可能である。次に、定規９の定規ガイド１０をマット部２とガード部５の間に差し込み、切ろうとするところに定規９の直角を形成する長い方の辺を合わせ、これにカッターナイフを沿わせて切る。長さを測って切る時は、定規９の直角を形成する長い方の辺を目盛り付きカッター刃受６又は目盛り付き枠８の目盛りに合わせば、別の定規で先に測って標を付けてから切る必要はない。
【００２４】
図３は定規９を本体１の長い方の辺に使用した場合を示しており、図１及び図３が示すように、定規９は縦・横どちらの方向にも差し込む事が可能で複数の定規を必要としない。
【００２５】
紙を切る場合、定規ガイド１０がガード部５のスポンジ７の伸縮性により常にマット部２の側面に沿わされているので直角方向が定まっている。これにより定規９を押さえてカッターナイフを定規９に沿わせて切ればよい。マット部２の端の方は定規ガイド１０がマット部２の側面に沿わす辺が短くなってくるのでこの時は、定規ガイド１０は表裏両面に形成されているので定規９を裏返してマット部２と定規ガイド１０の沿わす辺を長くする。
【００２６】
図４が示すように、このようにして紙を切っていくと最後の紙の端部分は、カッターナイフがガード部５の上部に当たり通常は切る事が出来ないが、ガード部５にはスポンジ７が備えられているのでスポンジ７が縮みカッターナイフが紙の最後まで当たるので切ることが出来る。そしてこのままガード部５でカッターナイフの刃は受け止められる。これはガード部５がマット部２及び本体１の底面と接着されず本体１の側面に接着されているのでカッターナイフの進路方向にクッション製素材は縮み衝撃を和らげ、カッターナイフの刃を受け止めて易くしている。またガード部５のカッターナイフの刃が当たる面には目盛り付きカッター刃受６が付いているのでスポンジ７の劣化を防いでいる。
【００２７】
図５が示すように、定規ガイド１０がマット部２とガード部５の間に差し込まれている為にスポンジ７の力により定規９の定規ガイド１０と向かい合う定規９の先の部分だけを持ち上げても定規９の位置は動かない。この状態で紙を差し替える事で、多くの紙を同じ大きさに何度も切る事が出来る。
【００２８】
紙を分割して切る場合は、紙の角を二辺のガード部５で形成された角に合わせて置く事で紙の動きが抑えられるので定規９を移動する事ができる。
【００２９】
パソコン等で印刷した書類を切る時、辺と印刷の方向が少しずれている場合があっもてもガード部５のスポンジ７が縮むので直角を支持している定規９をどちらかの方向にずらす事が出来る。また斜め方向に切る時は定規９の定規ガイド１０をマット部２とガード部５の間に差し込まずに通常の定規として使用する。
〔他の実施例１〕
【００３０】
マット部２の裏面を下敷き素材にする事により、本体１に嵌め込む時に下敷き面４を上面にする事により紙を切る時と同様に定規９を使用すれば紙の辺と直角や平行の線を簡単に引く事がでる。また、定規９を目盛り付きカッター刃受６や目盛り付き枠８に合わせる事により長さを測っての罫線や表を書く事も出来る。
〔他の実施例２〕
【００３１】
より大きなカッターマットを使用する時は、二辺の目盛り付き枠８はマット部２と同じ高さなので、二辺のガード部５で形成された角に合わせてマット部２の上により大きなカッターマットを重ねる事が出来る。
〔他の実施例３〕
【００３２】
例えばＡ４サイズの２分の１、３分の１、４分の１等の標を目盛り付きカッター刃受６及び目盛り付き枠８に付ければそこに定規９の長い方の辺を当てて切ることで、Ａ４サイズ一枚の紙の均等分割が紙を置いた状態で簡単に出来る。
〔他の実施例４〕
【００３３】
定規９の直角を形成している長い方の辺に目盛りを付けることで通常の定規としての使用や長さを測りながら紙を切る事ができる。
【図面の簡単な説明】
【００３４】
【図１】本発明の斜視図
【図２】本発明の立体分解図
【図３】本発明の実施例を示す斜視図
【図４】本発明の使用状態を示す斜視図
【図５】本発明の使用状態を示す斜視図
【符号の説明】
【００３５】
１  本体
２  マット部
３  カッターマット面
４  下敷面
５  ガード部
６  目盛り付きカッター刃受
７  スポンジ
８  目盛り付き枠
９  定規
１０  定規ガイド
【図１】
2006341345.tif 000003
【図２】
2006341345.tif 000004
【図３】
2006341345.tif 000005
【図４】
2006341345.tif 000006
【図５】
2006341345.tif 000007